(57)【要約】【課題】グリース漏れが起こらず、かつ、安価でコンパクトな玉軸受を提供すること。【解決手段】玉軸受の内輪２の外周面の軸方向の端部に、内輪２の軌道面の肩径よりも小さな大径と小径との二段の段部１３，１４，１５，１６を形成して、シール部材１８，１９の副リップ３５，３６を大径の段部１３，１５に逃がすような構成にする。このようにして、冠形保持器７の環状部３９と副リップ３５との距離を大きくして、外輪１と内輪２の軸方向の寸法を小さくしても、保持器７の環状部３９と副リップ３５が干渉しないようにする。【選択図】  図１
2004293563.tif 000002
【特許請求の範囲】
【請求項１】
外輪と、内輪と、上記外輪の軌道面と上記内輪の軌道面との間に配置された玉と、この玉を保持する保持器と、上記外輪の内周面の軸方向の端部と上記内輪の外周面の軸方向の端部との間をシールするシール部材とを備えた玉軸受において、
上記内輪の外周面の軸方向の少なくとも一方の端部に、上記内輪の軌道面の肩径よりも小さな大径と小径との二段の段部を形成し、
上記大径の段部と、上記シール部材の副リップとの間にラビリンスシールを構成すると共に、上記小径の段部の側壁に上記シール部材の主リップを摺動させていることを特徴とする玉軸受。
【請求項２】
請求項１に記載の玉軸受において、上記外輪と上記内輪は、上記外輪の軌道面と上記内輪の軌道面のセンターを含む面に対して、略面対称になっていることを特徴とする玉軸受。
【請求項３】
請求項１または２に記載の玉軸受において、上記保持器の環状部の少なくとも一部と、上記副リップの少なくとも一部が径方向に重なることを特徴とする玉軸受。
【発明の詳細な説明】
【０００１】
【発明の属する技術分野】
本発明は、玉軸受に関する。
【０００２】
【従来の技術】
従来、玉軸受としては、例えば、特開２００２−１５５９５１号公報（特許文献１）に示された４点接触玉軸受がある。この玉軸受は、外輪の軌道面と、内輪の軌道面との間に、冠形保持器によって保持された玉を、周方向に一定の間隔に複数個配置している。上記外輪と内輪の軸方向の両端部には環状溝が形成されている。
【０００３】
また、上記玉軸受の上記外輪の内周面の軸方向の端部と上記内輪の外周面の軸方向の端部の間にはシール部材が配置されている。このシール部材は、シール部材の一端部を上記外輪の環状溝に固定している一方、シール部材の他端部の副リップを上記内輪の外周面に近接させて、上記副リップと上記内輪の外周面との間にラビリンスシールを構成すると共に、シール部材の他端部の主リップを上記内輪の環状溝の側面に摺接させて、外輪と内輪の間をシールしている。上記シール部材は、外輪と内輪の間に充填されているグリースが外部に漏れ出たり、外部の異物が外輪と内輪の間に入り込んだりするのを防止している。
【０００４】
【特許文献１】
特開２００２−１５５９５１号公報
【０００５】
【発明が解決しようとする課題】
しかしながら、上記従来の玉軸受では、上記シール部材の他端部の副リップを上記内輪の外周面に近接させるようにして、上記副リップと上記内輪の外周面との間にラビリンスシールを構成しているので、上記冠形保持器の環状部が存在する側で、上記冠形保持器の環状部と上記シール部材の副リップ部とが接近して、グリースがシール部材のリップ部周辺に溜まり易くなって、このリップ部周辺のグリースの圧力が大きくなって、グリース漏れが起こるという問題がある。
【０００６】
また、上記グリース漏れの問題を回避するために、玉軸受の軸方向の寸法を大きくして、上記冠形保持器の環状部と上記副リップとの間の隙間を充分に確保すると、玉軸受が大型化すると共に、内輪および外輪の材料費が増大して玉軸受の製造コストが増大するという問題がある。
【０００７】
そこで、本発明の目的は、グリース漏れが起こらず、かつ、安価でコンパクトな玉軸受を提供することにある。
【０００８】
【課題を解決するための手段】
上記目的を達成するため、請求項１の発明の玉軸受は、外輪と、内輪と、上記外輪の軌道面と上記内輪の軌道面との間に配置された玉と、この玉を保持する保持器と、上記外輪の内周面の軸方向の少なくとも一方の端部と上記内輪の外周面の軸方向の端部との間をシールするシール部材とを備えた玉軸受において、
上記内輪の外周面の軸方向の端部に、上記内輪の軌道面の肩径よりも小さな大径と小径との二段の段部を形成し、
上記大径の段部と、上記シール部材の副リップとの間にラビリンスシールを構成すると共に、上記小径の段部の側壁に上記シール部材の主リップを摺動させていることを特徴としている。
【０００９】
上記請求項１の発明の玉軸受によれば、上記内輪の外周面の軸方向の端部に、上記内輪の軌道面の肩径よりも小さな大径と小径との二段の段部を形成し、上記副リップを上記大径の段部に逃がすような構成にしたので、上記保持器の環状部と副リップとの距離を従来に比べて格段に大きくできて、玉軸受の軸方向の寸法を小さくしても、上記保持器の環状部と上記副リップが干渉することがない。したがって、内輪および外輪の軸方向の寸法を小さくすることができて玉軸受をコンパクトにできると共に、外輪および内輪の材料費を低減できて玉軸受の製造コストを小さくできる。
【００１０】
また、上記請求項１の発明の玉軸受によれば、上記副リップを上記大径の段部に逃がすような構成にして、上記保持器の環状部と副リップとの距離を大きくしたので、上記副リップと上記保持器の環状部との間にグリースが入り込む十分な空間を確保できて、グリースがシール部材の主リップの周辺に集中的に溜まることがない。したがって、シール部材の主リップ周辺でのグリースの圧力が高くなることがないので、シール部材と上記内輪の間からのグリース漏れが起こることがない。
【００１１】
また、請求項２の発明の玉軸受は、請求項１に記載の玉軸受において、上記外輪と上記内輪は、上記外輪の軌道面と上記内輪の軌道面のセンターを含む面に対して、略面対称になっていることを特徴としている。
【００１２】
上記請求項２の発明の玉軸受によれば、上記外輪と上記内輪は、上記外輪の軌道面と上記内輪の軌道面のセンターを含む面に対して、略面対称になっているので、非対称な場合と比べて、上記外輪および内輪の汎用性を高くして、玉軸受の生産性を向上させることができる。
【００１３】
また、請求項３の発明の玉軸受は、請求項１または２に記載の玉軸受において、上記保持器の環状部の少なくとも一部と、上記副リップの少なくとも一部が径方向に重なることを特徴としている。
【００１４】
上記請求項３の発明の玉軸受によれば、上記保持器の環状部の少なくとも一部と、上記副リップの少なくとも一部とが径方向で重なる構成にしたので、上記外輪および内輪の軸方向の寸法を更に小さくできて、外輪および内輪の材料費を更に低減できる。したがって、玉軸受を更にコンパクトにできると共に、玉軸受の製造コストを更に小さくできる。
【００１５】
【発明の実施の形態】
以下、本発明を図示の実施の形態により詳細に説明する。
【００１６】
図１は、本発明の玉軸受の一実施形態としての４点接触玉軸受の軸方向の断面図である。この４点接触玉軸受は、外輪１の軌道面１ａと、内輪２の軌道面２ａとの間に、冠形保持器７によって保持された玉３を、周方向に一定の間隔に複数個配置している。
【００１７】
上記外輪１は、上記外輪１の軌道面１ａと内輪２の軌道面２ａのセンターを含む平面Ａに対して略左右対称になっており、外輪１の内周面の軸方向の両端部には、環状溝１０，１１が形成されている。また、上記外輪１の軌道面１ａは、平面Ａに対して略左右対称な左側部分と右側部分とから成っており、上記左側部分は玉３と点Ｐ１で接触し、上記右側部分は玉３と点Ｐ２で接触している。
【００１８】
一方、上記内輪２は、外輪１の軌道面１ａと内輪２の軌道面２ａのセンターを含む平面Ａに対して略左右対称になっており、内輪２の外周面の軸方向の両端部の夫々には、内輪２の軌道面２ａの肩径よりも小さな大径と小径との二段の段部１３，１４および１５，１６が形成されている。上記内輪２の両端に形成された二段の段部の内で玉側の大径段部１３，１５の大部分は、冠形保持器７の環状部３９の一部と径方向で重なっている。また、上記内輪２の軌道面２ａは、平面Ａに対して略左右対称な左側部分と右側部分から成っており、上記左側部分は玉３とＰ３で接触し、上記右側部分は玉３とＰ４で接触している。
【００１９】
また、この４点接触玉軸受の軸方向の両端部の外輪１の内周面と内輪２の外周面との間にはシール部材１８，１９が配置されている。このシール部材１８，１９の夫々は、芯金部２０，２１とリップ部２３，２４とから成っている。
【００２０】
上記シール部材１８，１９の夫々は、シール部材１８，１９の一端部を外輪１の環状溝に固定する一方、シール部材１８，１９の他端部の副リップ３５，３６を内輪２の大径段部１３，１５に近接させて、副リップ３５，３６と内輪２の大径段部１３，１５との間にラビリンスシールを構成すると共に、シール部材１８，１９の他端部の主リップ３７，３８を内輪２の小径段部１４，１６の玉側の側面に摺接させて、外輪１と内輪２との間をシールしている。上記冠形保持器７の環状部３９と、平面Ａに対して保持器側のシール部材１８の副リップ３５の先端部とは、径方向で重なるようになっている。上記シール部材１８，１９は、外輪１８と内輪１９の間に充填されているグリースが外部に漏れ出たり、外部の異物が外輪１８と内輪１９の間に入り込んだりするのを防止している。
【００２１】
図２は、上記内輪２の保持器側の二段の段部１３，１４の周辺の拡大図である。
【００２２】
図２において、点線Ｃは、大径段部を形成しない従来の内輪の表面を示し、点線Ｄは、大径段部を形成しない従来のシール部材の副リップの存在位置を示している。
【００２３】
図２に示すように、上記冠形保持器７は、環状部３８と副リップ３７との間の距離が大きくなるように、環状部３９の副リップ側の角部が面取りされ、そこに斜面４３が形成されている。
【００２４】
また、図２に示すように、大径段部１３に近接して配置されると共に、大径段部１３との間にラビリンスシールを形成している副リップ３５と、冠形保持器７の環状部３９との間隔は、存在位置が点線Ｄで示される大径段部が形成されない従来の副リップと、冠形保持器７の環状部３９との間隔よりも大きくなっている。
【００２５】
上記実施形態の玉軸受によれば、内輪２の外周面の軸方向の端部に、内輪２の軌道面の肩径よりも小さな大径と小径との二段の段部１３，１４および１５，１６を形成し、副リップ３５，３６を大径の段部１３，１５に逃がすような構成にしたので、冠形保持器７の環状部３９と副リップ３５との距離が、従来の玉軸受よりも格段に大きくなって、玉軸受の軸方向の寸法を小さくしても、冠形保持器７の環状部３９と副リップ３５が近接することがない。したがって、内輪１および外輪２の軸方向の寸法を小さくできて玉軸受をコンパクトにできると共に、内輪１および外輪２の材料費を低減できて玉軸受の製造コストを低減できる。
【００２６】
また、上記実施形態の玉軸受によれば、副リップ３５，３６を大径の段部１３，１５に逃がすような構成にして、冠形保持器７の環状部３９と副リップ３５との距離を大きくしたので、副リップ３５と冠形保持器７の環状部３９との間にグリースが入り込む十分な空間を確保することができて、グリースがシール部材１８のシール位置の周辺に集中的に溜まることがない。したがって、シール部材１８の主リップ３７周辺でのグリースの圧力が高くなることがないので、シール部材１８と内輪２の間からグリースが漏れることがない。
【００２７】
また、上記実施形態の玉軸受によれば、外輪１と内輪２は、外輪１の軌道面１ａと内輪２の軌道面２ａのセンターを含む平面Ａに対して、略面対称になっているので、非対称な場合と比べて、外輪１および内輪２の汎用性を高くして、玉軸受の生産性を格段に上げることができる。
【００２８】
また、上記実施形態の玉軸受によれば、冠形保持器７の環状部３９の一部と副リップ３５の先端部とが径方向で重なるような構成にしたので、外輪１および内輪２の軸方向の寸法を更に小さくできて、玉軸受を更にコンパクトにできる。
【００２９】
尚、上記実施形態の玉軸受では、保持器として冠形保持器７を採用し、かつ、内輪２の外周面の両端部に平面Ａに対して略面対称に２段の段部１３，１４および１５，１６を設けたが、この発明の玉軸受では、保持器として冠形保持器を採用し、かつ、内輪の外周面の平面Ａに対する保持器側の端部に２段の段部を設けると共に、内輪の外周面の平面Ａに対する反対側の段部に主リップ用の１段の段部のみを設けるようにしても良い。また、この発明の玉軸受では、保持器として、二つの環状部の間が複数の柱部で接続されて隣接する柱部の間にポケットが形成された保持器を採用すると共に、内輪の外周面の両端部に略左右対称に２段の段部を設けても良い。
【００３０】
また、上記実施形態の玉軸受では、冠形保持器７の角部を面取りしたが、この発明の玉軸受では、保持器の角部を面取りしなくても良い。
【００３１】
また、上記実施形態の玉軸受では、玉軸受として４点接触玉軸受を採用して、この発明を、４点接触玉軸受で実践したが、この発明を、単列の深溝玉軸受や３点接触玉軸受等の４点接触玉軸受以外の玉軸受で実践しても良い。
【００３２】
【発明の効果】
以上より明らかなように、請求項１の発明の玉軸受によれば、内輪の外周面の軸方向の端部に、上記内輪の軌道面の肩径よりも小さな大径と小径との二段の段部を形成して、シール部材の副リップを上記大径の段部に逃がすような構成にしたので、保持器の環状部と上記副リップとの距離を大きくできて、玉軸受の軸方向の寸法を小さくしても保持器の環状部と上記副リップが干渉することがない。したがって、玉軸受をコンパクトにできると共に、玉軸受の製造コストを低減できる。
【００３３】
また、請求項１の発明の玉軸受によれば、上記シール部材の副リップを上記大径の段部に逃がすような構成にして、保持器の環状部と上記副リップとの距離を大きくしたので、上記副リップと上記保持器の環状部との間に十分な空間を確保できて、グリース漏れを抑制できる。
【００３４】
また、請求項２の発明の玉軸受によれば、外輪と内輪は、上記外輪の軌道面と上記内輪の軌道面のセンターを含む面に対して、略面対称になっているので、上記外輪および内輪の汎用性を高くして、玉軸受の生産性を格段に向上させることができる。
【００３５】
また、請求項３の発明の玉軸受によれば、上記保持器の環状部と、上記副リップの少なくとも一部とが径方向で重なっているので、玉軸受を軸方向に更にコンパクトにできて、玉軸受の製造コストを更に低減できる。
【図面の簡単な説明】
【図１】本発明の一実施形態の玉軸受の軸方向の断面図である。
【図２】上記玉軸受の内輪の保持器側の二段の段部の周辺の拡大図である
【符号の説明】
１  外輪
２  内輪
３  玉
７  冠形保持器
１３，１５  大径段部
１４，１６  小径段部
１８，１９  シール部材
２０，２１  芯金部
２３，２４  リップ部
３５，３６  副リップ
３７，３８  主リップ
３９  環状部
Ａ  平面
【図１】
2004293563.tif 000003
【図２】
2004293563.tif 000004